(57)【要約】  【課題】ＣＷモード受信機における同調操作を困難にすることなく、歪み成分を効果的に除去することにより、音声出力の聴感上の了解度を向上させること。  【解決手段】本発明は、ピッチコントロール機能を有するＣＷモード受信機において、カットオフ周波数を制御信号によって変更可能な受信オーディオ帯域の可変ＬＰＦと、前記ピッチコントロール機能におけるピッチ周波数と前記可変ＬＰＦにおけるカットオフ周波数とを関連付けして連動させて変化させる連動手段とを備えたことを特徴としている。【選択図】      図１
2006050034.tif 000002
【特許請求の範囲】
【請求項１】
ピッチコントロール機能を有するＣＷモード受信機において、
カットオフ周波数を制御信号によって変更可能な受信オーディオ帯域の可変ＬＰＦと、
前記ピッチコントロール機能におけるピッチ周波数と前記可変ＬＰＦにおけるカットオフ周波数とを関連付けして連動させて変化させる連動手段と
を備えたことを特徴とするＣＷモード受信機。
【発明の詳細な説明】
【技術分野】
【０００１】
本発明は、ピッチコントロール機能を有するＣＷモード受信機に関するものである。
【背景技術】
【０００２】
従来より、ＣＷモード受信機においては、受信や雑音を低減して受信信号の選択度を向上させるために、狭帯域のＩＦフィルタやＡＰＦ（オーディオピークフィルタ）が用いられる。また、これらのフィルタの通過帯域をピッチコントロール機能と連動させて変化させるように制御して、通過帯域の中心周波数を、ピッチ周波数に合致させ、より選択度を向上させるようにした技術も提案されている。
例えば、ピッチコントロール機能に連動させてＡＰＦの中心周波数を変化させる技術は、特許文献１、２で開示されており、ピッチコントロール機能に連動させてＩＦフィルタの通過帯域を変化させる技術は、特許文献３、４で開示されている。
【０００３】
【特許文献１】特公昭６３−５０８９３号公報
【特許文献２】特開平０３−１０５２３号公報
【特許文献３】実公平０３−２６６９３号公報
【特許文献４】特許３０８４１９６号公報
【発明の開示】
【発明が解決しようとする課題】
【０００４】
ＣＷモード受信機においては、ＡＧＣ（自動利得制御）機能における放電時間を短く設定する傾向にあるため、後述するようにＡＧＣ機能による再変調に起因する歪みが発生しやすいという問題がある。
放電時間を短くする理由は、ＣＷ信号の情報は単一信号の有無の組合せによって表されるものであるため、ＡＧＣ機能は信号の有るときと無いときのそれぞれの状態にのみ追従すれば十分であるからである。
また、特にアマチュア無線においては、信号強度の差が大きな複数の受信信号を同時に受信する場合も有り、このような場合にＡＧＣ機能における放電時間が長いと、微弱な信号は、強力な信号に基づいて制御されるＡＧＣ機能によるゲインの低下のために、受信感度が低下してしまう。そのため放電時定数を小さく設定して、強力な信号が無くなったら直ちに受信感度が復帰するように設定することが多い。
しかしこのようにＡＧＣ機能における放電時定数を小さくした場合、後述するようにＡＧＣ機能による再変調に起因する歪みが増加し、元信号には無い周波数成分が受信音として発生する場合がある。
【０００５】
ＡＧＣ機能における再変調に起因する歪みの発生について若干の補足説明をする。
一般的に、ＡＧＣ機能は、受信信号の強弱に関わらず、受信音が一定のレベルとなるように受信回路におけるゲインを自動的に可変制御する機能である。
つまり、ＡＧＣ機能は、入力信号のレベルを監視して受信回路のゲインを逐次変化させていることになる。
しかし、ＡＧＣ機能が作動するということは、振幅変調信号の場合、本来は受信信号に含まれている振幅変調成分を押さえ込むことになる。これを回避するためには、ＡＧＣ機能の放電時定数を振幅変調周波数成分より十分大きな値にして、ＡＧＣ機能によるゲインの変化をしにくくする必要がある。
一方、ＣＷモード受信機の場合には、前述したように、放電時間を短く設定することが多い。しかし、放電時間を短く設定した状態で振幅変調成分の信号を受信すると、振幅変調成分によってＡＧＣ機能が反応して本来は受信信号に無かった奇数次歪みをＡＦ帯域の受信音に発生させてしまう。
このため、希望する単一信号の有無の組合せである受信信号以外の不要成分である混信やノイズのレベルがＡＧＣ機能の反応レベルよりも低いときは問題ないが、ＡＧＣ機能の反応レベル以上の不要成分がある場合には、これらの不要成分によってＡＧＣ機能が動作してしまい、本来の受信信号には無い不要な周波数成分が受信音として発生する。
このような挙動をＡＧＣ機能による再変調といい、それによって受信音として発生する本来の受信信号には無い不要な周波数成分をＡＧＣ機能による再変調歪みという。
【０００６】
以上のようなＡＧＣ機能による再変調歪み以外にも、ＩＦフィルタの通過帯域内に高いレベルのノイズ成分が存在する場合に、それらの相互変調によって広帯域の歪み成分が発生する。
これらの歪み成分を除去できないと音声出力の聴感上の了解度が悪化するという問題があるので、この問題を解決するためには、ＩＦフィルタをさらに狭帯域にしたり、ＡＰＦを作動させたりする必要がでてくる。
【０００７】
しかし、たとえＩＦフィルタを狭帯域にしたとしても、相互変調による歪み成分はＩＦフィルタを通過した後のＡＦ段においても現れるため、ＩＦフィルタによって全ての歪み成分を除去することはできない。
また、ＩＦフィルタを過度に狭帯域にすると、同調操作が困難になるとともに、送信側との周波数のずれが問題になることがある。
また、ＡＰＦは、ＡＦ段における非常に狭帯域なフィルタであるため、ＡＰＦを使用した状態では同調操作が困難になる。そのため、通常は、ＡＰＦは同調完了後にのみ使用されるものであり、同調操作時には使用されない。
【０００８】
そこで、本発明は、同調操作を困難にすることなく、歪み成分を効果的に除去することにより、音声出力の聴感上の了解度を向上させることを目的としてなされたものである。
【課題を解決するための手段】
【０００９】
本発明にかかるＣＷモード受信機においては、
ピッチコントロール機能を有するＣＷモード受信機において、
カットオフ周波数を制御信号によって変更可能な受信オーディオ帯域の可変ＬＰＦと、
前記ピッチコントロール機能におけるピッチ周波数と前記可変ＬＰＦにおけるカットオフ周波数とを関連付けして連動させて変化させる連動手段と
を備えたことを特徴としている。
【発明の効果】
【００１０】
本発明においては、カットオフ周波数を制御信号によって変更可能な受信オーディオ帯域の可変ＬＰＦを備え、連動手段によって前記可変ＬＰＦにおけるカットオフ周波数をピッチコントロール機能におけるピッチ周波数と関連付けして連動させて変化させるので、ＡＦ帯域に現れる、ＡＧＣ機能における再変調歪みもしくはＩＦ帯域内のノイズ成分間の相互変調による歪みは、何れも可変ＬＰＦによって除去することができる。しかも、可変ＬＰＦのカットオフ周波数はピッチ周波数に連動して変化するので、ピッチコントロール機能によってピッチ周波数を変えても信号成分は残存する。従って、歪み成分のみが除去されて信号成分は残存しているので、音声出力の聴感上の了解度を向上させることができるのである。
【発明を実施するための最良の形態】
【００１１】
以下に、本発明にかかるＣＷモード受信機を、その実施の形態を示した図１を参照して詳細に説明する。
図１において、
１はＣＷモード受信機であり、主な構成としては、受信した高周波信号をＩＦ信号に変換する周波数変換部２、所定のＩＦ信号を選択して増幅するＩＦ部３、ピッチコントロール信号ＰＳに応じたピッチの復調音を得るビート検波部４、制御信号に応じてカットオフ周波数が制御される可変ＬＰＦ５１を備えたＡＦ部５と、前記ピッチコントロール信号ＰＳを出力するピッチコントロール部６とを備えている。
以上の構成によって、ピッチコントロール部６から出力されるピッチコントロール信号ＰＳによって、復調音のピッチと共に、可変ＬＰＦ５１におけるカットオフ周波数も連動して制御する連動手段を構成している。
【実施例１】
【００１２】
図２は実施例１のＣＷモード受信機のブロック構成図である。
図２において、
１はＣＷモード受信機であり、主な構成としては、局部発振回路２１と第１ミキサー２２とを備えた周波数変換部２、可変バンドパスＩＦフィルタ３１を備えたＩＦ部３、ＢＦＯ４１と第２ミキサー４２とを備えたビート検波部４、可変ＬＰＦ５１とこの可変ＬＰＦ５１をスルーにするスルースイッチ５２とスピーカ５３とを備えたＡＦ部５とを備えている。６はピッチコントロール部であり、操作ツマミ６１と、ピッチコントロール信号ＰＳを出力する出力回路６２とを備えている。
【００１３】
前記ＣＷモード受信機１におけるピッチコントロール機能は、ピッチコントロール部６の操作ツマミ６１を操作することによって、操作量に応じたピッチコントロール信号ＰＳを出力することによって、ビート検波部４におけるＢＦＯ４１の発振周波数を可変することによって実現されている。このピッチコントロール機能によって、ビート検波によって得られる復調音のピッチ（音高）を所望の高さに調整できるのである。
【００１４】
前記可変ＬＰＦ５１のカットオフ周波数を制御する制御信号として、前記ピッチコントロール信号ＰＳが前記可変ＬＰＦ５１にも入力されている。
図３に示したように、前記ピッチコントロール信号の変化に応じて、ピッチコントロール部６は復調音のピッチが高低変化するとともに、可変ＬＰＦ５１のカットオフ周波数も連動して高低変化する。
以上の構成において、前記ピッチコントロール信号ＰＳがピッチコントロール部６と共に可変ＬＰＦ５１にも入力されている構成によって、特許請求の範囲に記載された連動手段が実現されている。
【００１５】
複数の受信信号を同時に受信すること等を目的としてフィルタの帯域を広げたい場合には、前記ＩＦフィルタ３１の通過帯域幅を広げるとともに、前記スルースイッチ５２を閉じて可変ＬＰＦをスルーにする。
このようにして、前記ＩＦフィルタ３１の通過帯域幅を狭くしたり広くしたり制御するとともに、前記スルースイッチ５２を開閉制御することによって、通過帯域幅を狭広設定する帯域幅設定手段を構成している。
【００１６】
このようにして、受信音の音質を極端に変化させることなく、ＡＧＣ機能による再変調歪みに含まれる高域成分を除去することができるのである。それによって、受信音の聴感上の了解度を向上させることができるのである。
しかも、ピッチコントロール機能によって復調音のピッチを可変しても、連動手段によって、可変ＬＰＦのカットオフ周波数を連動させて変化させるので、除去能力を維持することができる。
【００１７】
なお、ピッチコントロール機能を実現する手段は、図示したピッチコントロール部６の構成に限定されるものではなく、復調方式に応じて、得られる復調音のピッチを可変できるものであればよい。
また、前記可変ＬＰＦとは、可変ＢＰＦも含むものであることはいうまでもない。
【図面の簡単な説明】
【００１８】
【図１】本発明にかかるＣＷモード受信機の実施の形態の構成を示した構成図である。
【図２】本発明にかかるＣＷモード受信機の実施例１のブロック構成図である。
【図３】ピッチコントロール機能におけるピッチの変化と、可変ＬＰＦ５１におけるカットオフ周波数の変化との連動を説明する説明図である。
【符号の説明】
【００１９】
１  ＣＷモード受信機
２１  局部発振回路
２２  第１ミキサー
２  周波数変換部
３  ＩＦ部
３１  可変バンドパスＩＦフィルタ
４  ビート検波部
４１  ＢＦＯ
４２  第２ミキサー
５  ＡＦ部
５１  可変ＬＰＦ
５２  スルースイッチ
５３  スピーカ
６  ピッチコントロール部
６１  操作ツマミ
６２  出力回路
ＰＳ  ピッチコントロール信号
【図１】
2006050034.tif 000003
【図２】
2006050034.tif 000004
【図３】
2006050034.tif 000005